【手続補正書】
【提出日】平成18年4月7日(2006.4.7)
【手続補正１】
【補正対象書類名】明細書
【補正対象項目名】発明の名称
【補正方法】変更
【補正の内容】
【発明の名称】更新通知装置及び方法、並びにプログラム及び記憶媒体
【手続補正２】
【補正対象書類名】明細書
【補正対象項目名】特許請求の範囲
【補正方法】変更
【補正の内容】
【特許請求の範囲】
【請求項１】  複数のデータを保持するデータ保持手段と、
前記データ保持手段により保持されている関連性のある複数のデータを比較して更新が行われたか否かを判断する判断手段と、
前記判断手段において更新が行われたと判断された場合に更新内容を抽出する更新内容抽出手段と、
前記更新内容抽出手段により抽出された複数の更新内容を通知内容として保持する通知内容保持手段と、
所定の条件を満たす場合に通知内容保持手段に保持されている通知内容を出力する出力手段とを備えたことを特徴とする更新通知装置。
【請求項２】  前記通知内容保持手段は、前記更新内容抽出手段により抽出された更新内容を前回通知時から次の通知時迄の間、逐次追記した通知内容を保持することを特徴とする請求項１記載の更新通知装置。
【請求項３】  前記通知内容保持手段は、前記更新内容抽出手段により抽出された新しい更新内容で古いものを上書きし且つ任意の数の更新内容を纏めて保持することを可能とし、前回通知時から次の通知時迄に抽出した更新内容を追記して保持するか、新しいもので上書きして保持するか切り替える切替手段を備えたことを特徴とする特徴とする請求項２記載の更新通知装置。
【請求項４】  前記通知内容保持手段は、前記更新内容抽出手段により抽出された新しい更新内容で古いものを上書きした通知内容を保持することを特徴とする請求項１記載の更新通知装置。
【請求項５】  複数のデータを保持するデータ保持装置により保持されている関連性のある複数のデータを比較して更新が行われたか否かを処理装置が判断する判断工程と、
前記判断工程において更新が行われたと判断された場合に更新内容を前記処理装置が抽出する更新内容抽出工程と、
前記更新内容抽出工程により抽出された複数の更新内容を通知内容として前記データ保持装置が保持する通知内容保持工程と、
所定の条件を満たした場合に通知内容保持工程に保持されている通知内容を前記処理装置が前記出力装置に出力する出力工程とを備えたことを特徴とする更新通知装置の更新通知方法。
【請求項６】  前記通知内容保持工程において、前記データ保持装置は、前記更新内容抽出手段により抽出された更新内容を前回通知時から次の通知時迄の間、逐次追記した通知内容を保持することを特徴とする請求項５記載の更新通知装置の更新通知方法。
【請求項７】  前記通知内容保持工程において、前記データ保持装置は、前記更新内容抽出工程により抽出された新しい更新内容で古いものを上書きし且つ任意の数の更新内容を纏めて保持することを可能とし、
さらに、前回通知時から次の通知時迄に抽出した更新内容を追記して保持するか、新しいもので上書きして保持するかを前記処理装置が切り替える切替工程を備えたことを特徴とする特徴とする請求項５記載の更新通知装置の更新通知方法。
【請求項８】  前記通知内容保持工程において、前記データ保持装置は、前記更新内容抽出手工程により抽出された新しい更新内容で古いものを上書きした通知内容を保持することを特徴とする請求項５記載の更新通知装置の更新通知方法。
【請求項９】  請求項５乃至８に記載の更新通知方法が備える各工程をコンピュータに実行させるためのプログラムコードから成ることを特徴とする制御プログラム。
【請求項１０】  請求項９に記載の制御プログラムを格納したことを特徴とするコンピュータ読取り可能な記憶媒体。
【手続補正３】
【補正対象書類名】明細書
【補正対象項目名】０００１
【補正方法】変更
【補正の内容】
【０００１】
【発明の属する技術分野】
本発明は、電子データの更新を監視し且つその更新を通知する更新通知装置及び方法、並びにプログラム及び記憶媒体に関する。
【手続補正４】
【補正対象書類名】明細書
【補正対象項目名】００１０
【補正方法】変更
【補正の内容】
【００１０】
本発明は、上述した従来技術の有する問題点を解消するためになされたもので、頻繁に複数のデータが送られて来る場合に、通知時間にずれが生じる問題と、通知内容が把握しづらくなるという問題の解消を可能とする更新通知装置及び方法、並びにプログラム及び記憶媒体を提供することを目的とする。
【手続補正５】
【補正対象書類名】明細書
【補正対象項目名】００１１
【補正方法】変更
【補正の内容】
【００１１】
【課題を解決するための手段】
上記目的を達成するために、本発明の更新通知装置は、複数のデータを保持するデータ保持手段と、前記データ保持手段により保持されている関連性のある複数のデータを比較して更新が行われたか否かを判断する判断手段と、前記判断手段において更新が行われたと判断された場合に更新内容を抽出する更新内容抽出手段と、前記更新内容抽出手段により抽出された複数の更新内容を通知内容として保持する通知内容保持手段と、所定の条件を満たす場合に通知内容保持手段に保持されている通知内容を出力する出力手段とを備えたことを特徴とする。
本発明の更新通知方法は、複数のデータを保持するデータ保持装置により保持されている関連性のある複数のデータを比較して更新が行われたか否かを処理装置が判断する判断工程と、前記判断工程において更新が行われたと判断された場合に更新内容を前記処理装置が抽出する更新内容抽出工程と、前記更新内容抽出工程により抽出された複数の更新内容を通知内容として前記データ保持装置が保持する通知内容保持工程と、所定の条件を満たした場合に通知内容保持工程に保持されている通知内容を前記処理装置が前記出力装置に出力する出力工程とを備えたことを特徴とする。
本発明の制御プログラムは、上記更新通知方法が備える各工程をコンピュータに実行させるためのプログラムコードから成ることを特徴とする。
本発明のコンピュータ読取り可能な記憶媒体は、上記制御プログラムを格納したことを特徴とする。
【手続補正６】
【補正対象書類名】明細書
【補正対象項目名】００９０
【補正方法】削除
【補正の内容】
【手続補正７】
【補正対象書類名】明細書
【補正対象項目名】００９１
【補正方法】削除
【補正の内容】
【手続補正８】
【補正対象書類名】明細書
【補正対象項目名】００９２
【補正方法】削除
【補正の内容】
【手続補正９】
【補正対象書類名】明細書
【補正対象項目名】００９３
【補正方法】削除
【補正の内容】
【手続補正１０】
【補正対象書類名】明細書
【補正対象項目名】００９４
【補正方法】削除
【補正の内容】
【手続補正１１】
【補正対象書類名】明細書
【補正対象項目名】００９５
【補正方法】削除
【補正の内容】
【手続補正１２】
【補正対象書類名】明細書
【補正対象項目名】００９６
【補正方法】削除
【補正の内容】
【手続補正１３】
【補正対象書類名】明細書
【補正対象項目名】００９７
【補正方法】削除
【補正の内容】
【手続補正１４】
【補正対象書類名】明細書
【補正対象項目名】００９８
【補正方法】削除
【補正の内容】
【手続補正１５】
【補正対象書類名】明細書
【補正対象項目名】００９９
【補正方法】削除
【補正の内容】
【手続補正１６】
【補正対象書類名】明細書
【補正対象項目名】０１００
【補正方法】削除
【補正の内容】
【手続補正１７】
【補正対象書類名】明細書
【補正対象項目名】０１０１
【補正方法】削除
【補正の内容】
【手続補正１８】
【補正対象書類名】明細書
【補正対象項目名】０１０２
【補正方法】削除
【補正の内容】
【手続補正１９】
【補正対象書類名】明細書
【補正対象項目名】０１０３
【補正方法】削除
【補正の内容】
【手続補正２０】
【補正対象書類名】明細書
【補正対象項目名】０１０４
【補正方法】削除
【補正の内容】
【手続補正２１】
【補正対象書類名】明細書
【補正対象項目名】０１０５
【補正方法】削除
【補正の内容】
【手続補正２２】
【補正対象書類名】明細書
【補正対象項目名】０１０６
【補正方法】削除
【補正の内容】
【手続補正２３】
【補正対象書類名】明細書
【補正対象項目名】０１０７
【補正方法】削除
【補正の内容】